(57)【特許請求の範囲】
【請求項１】
天板の後端部または側端部の下方に、上方が開口する配線スペースを設け、該配線スペースの上端開口部を、可撓性を有する繊維を水平かつ同方向を向くように多数並べて束ねたブラシ状の閉塞部材により覆ってなる配線機能付き机において、前記閉塞部材の一側端を、それとほぼ等長の取付部材により保持するとともに、該取付部材の下端を、机本体の後端または側端の幕板の上面に取付けたガイド部材に、長手方向に摺動可能として嵌合するとともに、取付部材の下端の両側部に、幕板の上端部に弾性的に嵌合可能な１対の係合片を下向きに連設したことを特徴とする配線機能付き机。
【請求項２】
閉塞部材の一側端を、取付部材の内側面に形成した長手方向を向く嵌合溝に、摺動可能に嵌合した請求項１に記載の配線機能付き机。
【請求項３】
ガイド部材が、上端部が幕板の厚さ方向に幅広のほぼＴ字状断面に形成され、かつその下端部の両側部と幕板の上面との間に形成される凹溝内に、取付部材の下面に形成した内向片を、長手方向に摺動可能に嵌合した請求項１または２に記載の配線機能付き机。
【請求項４】
幕板を板金により形成するとともに、上端に、ガイド部材が取付可能な内向きの水平片を備えるものである請求項１ないし３のいずれかに記載の配線機能付き机。
【発明の詳細な説明】
【０００１】
【発明の属する技術分野】
本発明は、天板上に載置したＯＡ機器等のコード類を、天板の下方の配線スペースに配線し得るようにした配線機能付き机に関する。
【０００２】
【従来の技術】
この種の机としては、天板の後端部に配線挿通孔を形成し、その部分に着脱可能に取付けた複数のカバーの一部を取外して、ＯＡ機器等のコード類を天板の下方の配線ダクト等に配線したり、カバーの一部を薄肉とし、その部分を切除して開口することにより、コード類を下方に配線し得るようにしたものなどがある。
【０００３】
【発明が解決しようとする課題】
上述したような、配線挿通孔にカバーを止着したものでは、一部のカバーを取外したり、薄肉部を切除したりするのが面倒であるとともに、コード類の挿通個所が限定され、ＯＡ機器等から最短距離で配線できないという問題がある。
【０００４】
このような問題を解決するために、本願の出願人らは、配線挿通孔に、可撓性を有する合成樹脂等の繊維を、水平かつ同方向に多数並べて束ねたブラシ状の閉塞部材を設け、任意の位置においてコード類を容易に下方に配線し得るようにした配線機能付き机を案出した。
【０００５】
しかし、ブラシ状に束ねた比較的長寸の閉塞部材を、机本体の後端部や側端部に、いかに簡単かつ着脱可能に取付けるかが、課題となっていた。
【０００６】
本発明は、上記問題点を解決するためになされたもので、ブラシ状に束ねた閉塞部材を、机本体の後端部や側端部に簡単かつ着脱可能に取付けることができるようにした配線機能付き机を提供することを目的としている。
【０００７】
【課題を解決するための手段】
上記目的を達成するために、本発明の配線機能付き机は、天板の後端部または側端部の下方に、上方が開口する配線スペースを設け、該配線スペースの上端開口部を、可撓性を有する繊維を水平かつ同方向を向くように多数並べて束ねたブラシ状の閉塞部材により覆ってなる配線機能付き机において、前記閉塞部材の一側端を、それとほぼ等長の取付部材により保持するとともに、該取付部材の下端を、机本体の後端または側端の幕板の上面に取付けたガイド部材に、長手方向に摺動可能として嵌合するとともに、取付部材の下端の両側部に、幕板の上端部に弾性的に嵌合可能な１対の係合片を下向きに連設したことを特徴としている。
上記構成の本発明によれば、閉塞部材は、それを保持した取付部材を、机本体の後端や側端の幕板の上面に取付けたガイド部材に、側方より挿入して嵌合することにより、簡単かつ着脱可能に装着される。また、取付部材の幕板への取付けが、より確かなものとなり、幅方向にがた付く恐れは殆どなくなる。
【０００８】
上記配線機能付き机において、閉塞部材の一側端を、取付部材の内側面に形成した長手方向を向く嵌合溝に、摺動可能に嵌合するのが好ましい。
このようにすると、取付部材を取付けたままで、閉塞部材のみを取外すことができる。
【０００９】
上記配線機能付き机において、ガイド部材が、上端部が幕板の厚さ方向に幅広のほぼＴ字状断面に形成され、かつその下端部の両側部と幕板の上面との間に形成される凹溝内に、取付部材の下面に形成した内向片を、長手方向に摺動可能に嵌合するのが好ましい。
このようにすると、取付部材をガイド部材に嵌合した後において、幅方向や上下方向にがた付いたりするのが防止される。
【００１１】
上記配線機能付き机において、幕板を板金により形成するとともに、上端に、ガイド部材が取付可能な内向きの水平片を備えることが好ましい。
このようにすると、閉塞部材の下方に幅の大きな配線スペースが形成され、その部分に幅の大きな配線ダクト等を取付けることにより、配線量を増やしたり、他の部品等を載置するなどすることができる。
【００１２】
【発明の実施の形態】
以下、本発明の実施形態を図面に基づいて説明する。
【００１３】
図１は、本発明が適用された机の全体斜視図，図２は、天板の後端角部の拡大斜視図を示すもので、机本体１は、側面視コ字形の左右１対の脚体２，２と、両脚体２の後端間に取付けられた板金製の幕板３と、左右の脚体２上に、幕板３との間に隙間が形成されるようにして取付けられた天板４とから構成されている。
【００１４】
５は、左右の脚体２の後端部上面の上向きの突出部（図示略）に、天板４の上面と同一面となるように上方より嵌合されたキャップである。
【００１５】
左右のキャップ５，幕板３，及び天板４の後端により囲まれた隙間６は、配線スペースとされ、この隙間６には、閉塞部材７が、次のようにして装着されている。
【００１６】
閉塞部材７は、図３に示すように、可撓性を有する例えばナイロン等の繊維８を水平かつ前後方向を向くように多数並べ、一側端、すなわち後端を保持部材９により結合して束ねることにより、扁平なブラシ状に形成されている。
【００１７】
図４及び図５に示すように、幕板３の上端に前向きに折曲して形成され、かつ前端に短寸の下向片３ｂを有する水平片３ａの上面には、複数、例えばポリアセタール樹脂よりなる左右２個のガイド部材１０が、皿ねじ１１により取付けられている。このガイド部材１０は、上半部の前後寸法が水平片３ａの前後幅よりも若干短寸をなす横長の長だ円形に形成され、かつ下半部の前後寸法を、上半部よりも若干小とすることにより、側面視ほぼＴ字形断面となっている。
【００１８】
これにより、水平片３ａの上面とガイド部材１０の上半部下面との間の前後両端部には、左右方向を向くガイド溝１２が形成されている。
【００１９】
１３は、合成樹脂により、閉塞部材７とほぼ等長をなすように形成された取付部材で、次のような構造となっている。
【００２０】
図４に示すように、取付部材１３の上部には、前面が開口され、かつ奥部に、上記閉塞部材７の保持部材９が摺動可能に嵌合される保持部１４を備える水平の凹溝１５が、長手方向全長に亘って形成されている。
【００２１】
また、取付部材１３の下面には、前後の幅が上記ガイド部材１０の上半部の前後寸法よりも僅かに大で、かつ下端に上記ガイド溝１２に摺動可能に嵌合し得る前後１対の内向片１６，１６を有する上向きの凹溝１７が、長手方向全長に亘って形成されている。
【００２２】
上記内向片１６の下面及び凹溝１７の上面は、ガイド部材１０に嵌合された際に、それぞれ幕板３の水平片３ａの上面とガイド部材１０の上面に摺接するようになっている。
【００２３】
取付部材１３における前面側の下端縁と上面の後端縁とには、幕板３の下向片３ｂと後端上部とに上方より弾性的に嵌合可能な係合片１８，１８が、下向きに一体的に連設されている。
【００２４】
閉塞部材７を上記隙間６に装着するには、幕板３を取付ける前に、もしくは、左右の脚体２に両側端が嵌合された幕板３を上方に若干押し上げた状態で、まずガイド部材１０を水平片３ａの上面にねじ止めする。
【００２５】
次いで、取付部材１３を、側方よりガイド部材１０に嵌合すると共に、前後の係合片１８を幕板３の下向片３ｂと後面上部に嵌合させる。
【００２６】
次いで、取付部材１３の上部の凹溝１５における奥部の保持部１４に、閉塞部材７の保持部材９を、側方より挿入して嵌合する。
【００２７】
この状態で、幕板３を、左右の脚体２間に、取付部材１３の上面と天板４の上面とがほぼ同一面となるように取付ければ、幕板３と天板４との間に形成された隙間６が閉塞部材７により塞がれる。
【００２８】
取付部材１３及び閉塞部材７の横方向への移動は、左右のキャップ５により阻止される。
【００２９】
天板４に載置したＯＡ機器等のコード類Ｃは、図３に示すように、閉塞部材７における任意の繊維８の間より下方に挿通し、幕板３の前面等に取付けた配線ダクト１９上に載置して容易に横方向に配線することができる。
【００３０】
以上説明したように、上記実施形態においては、幕板３に対する取付部材１３の取付け、及び取付部材１３への閉塞部材７の取付け形態を、側方からの挿入による嵌合のみとし、ねじ等固定手段を用いていないため、それらの取付けや取外しを極めて容易に行うことができる。
【００３１】
また、取付部材１３は、ガイド部材１０と幕板３の水平片３ａとの両方に嵌合されているため、前後及び上下方向にがた付いたり、前後方向の強い外力が加わるなどしても、簡単に抜け外れたりすることはない。
【００３２】
さらに、幕板３は板金製で薄く、かつその上端に前方を向く水平片３ａを備えているので、図３に示すように、閉塞部材７の下方に幅の広い配線スペースが形成され、前後幅の大きな配線ダクト１９を取付けるなどして、配線量を増やしたり、他の部品等を載置したりすることができる。
【００３３】
本発明は、上記実施形態に限定されるものではなく、種々の実施形態をとり得る。
【００３４】
例えば、上記実施形態では、短寸のガイド部材１０を複数取付けているが、取付け部材１３とほぼ等長をなすガイド部材を用いてもよい。
【００３５】
また、閉塞部材７の保持部材９を、取付部材１３に、予めねじ等により固定的に取付けるようにしてもよい。
【００３６】
取付部材１３の係合片１８は省略することもできる。
【００３７】
幕板３は、通常の木製等よりなるものを用いてもよい。
【００３８】
本発明は、机本体１の側端部に隙間を設けて配線スペースを形成したものにも適用し得ることは勿論である。
【００３９】
【発明の効果】
本発明によれば、次のような効果を奏することができる。
【００４０】
（ａ）請求項１に記載の発明によれば、閉塞部材を、ねじ等の固定手段を用いることなく、取付部材を介して、机本体の後端部や側端部の幕板に簡単かつ着脱可能に装着することができる。また、取付部材の幕板への取付けが、より確かなものとなり、幅方向にがた付く恐れは殆どなくなる。
【００４１】
（ｂ）請求項２に記載の発明によれば、閉塞部材のみを単独で取外すことができるので、その交換や清掃等が容易となる。
【００４２】
（ｃ）請求項３に記載の発明によれば、取付部材を、側方よりガイド部材に容易に嵌合し得るとともに、嵌合後において取付部材が幅方向や上下方向にがた付いたりするのが防止される。
【００４４】
（ｄ）請求項４に記載の発明によれば、幕板は薄く、閉塞部材の下方に幅の大きな配線スペースが形成されるので、幅の大きな配線ダクト等を取付けるなどして、配線量を増加させたり、他の部品等を載置して収納しておくことができる。
【図面の簡単な説明】
【図１】本発明が適用された机全体の斜視図である。
【図２】同じく、机本体の後端角部の拡大斜視図である。
【図３】同じく、閉塞部材及び取付部材を幕板の上端に取付けた状態の一部断面部分斜視図である。
【図４】図３のIV−IV線の縦断側面図である。
【図５】ガイド部材及び取付部材の取付前の部分斜視図である。
【符号の説明】
１                机本体
２                脚体
３                幕板
３ａ              水平片
３ｂ              下向片
４                天板
５                キャップ
６                隙間
７                閉塞部材
８                繊維
９                保持部材
１０              ガイド部材
１１              皿ねじ
１２              ガイド溝
１３              取付部材
１４              保持部
１５              凹溝
１６              内向片
１７              凹溝
１８              係合片
１９              配線ダクト
Ｃ                コード類
【図１】
0003686027.tif 000002
【図２】
0003686027.tif 000003
【図３】
0003686027.tif 000004
【図４】
0003686027.tif 000005
【図５】
0003686027.tif 000006